(57)【特許請求の範囲】
【請求項１】
可動接点と、
前記可動接点と電気的に接続される固定端子と、
コイルと、
前記コイルが励磁されていると、前記可動接点が磁力により前記コイルに引き寄せられ、前記可動接点と電気的に接続されるメイク接点と、
前記コイルが励磁されていなくとも、前記可動接点を前記メイク接点に電気的に接続されるメイク位置に固定するメイク位置固定手段と、
前記コイルが励磁されていないと、前記可動接点が前記コイルから離れ、前記可動接点と電気的に接続されるブレイク接点と、
前記コイルが励磁されていても、前記可動接点を前記ブレイク接点に電気的に接続されるブレイク位置に固定するブレイク位置固定手段と
を備えることを特徴とする励磁継電器。
【請求項２】
前記メイク位置固定手段による前記可動接点の固定、前記ブレイク位置固定手段による前記可動接点の固定、又は前記可動接点を固定しない、のうちいずれか１つを選択するスイッチ
を備えることを特徴とする請求項１に記載の励磁継電器。
【請求項３】
前記スイッチは、スライドさせて選択すること
を特徴とする請求項２に記載の励磁継電器。
【発明の詳細な説明】
【技術分野】
【０００１】
本発明は、電磁継電器に関する。
【背景技術】
【０００２】
一般に、コイルの励磁により、接点を動作させる電磁継電器が知られている。電磁継電器には、メイク接点（ａ接点）とブレイク接点（ｂ接点）の２種類の接点が設けられている。メイク接点は、電磁継電器のコイルが励磁されると、導通する接点である。ブレイク接点は、電磁継電器のコイルが励磁されていないと、導通する接点である。また、回路試験などのために、コイルを励磁せずに、手動で押圧する操作（手動押圧操作）により、強制的に接点を切り換えられるチェック機能付き電磁継電器がある（特許文献１参照）。
【先行技術文献】
【特許文献】
【０００３】
【特許文献１】特開平８−２２２１０９号公報
【発明の概要】
【発明が解決しようとする課題】
【０００４】
しかしながら、手動押圧操作の場合、接点を切り換えた状態（例えば、メイク接点を導通させた状態）に維持するには、押圧し続けなければならない。例えば、多数の電磁継電器が実装された配電盤などの回路試験を行う場合には、試験条件によっては、複数の電磁継電器を動作させた状態に維持する必要がある。従って、このような試験では、試験条件を満たすために、導通する接点に予めジャンパー線を取り付けることが行われる。
【０００５】
そこで、本発明の目的は、試験のために動作状態を維持することができる励磁継電器を提供することにある。
【課題を解決するための手段】
【０００６】
本発明の観点に従った励磁継電器は、可動接点と、前記可動接点と電気的に接続される固定端子と、コイルと、前記コイルが励磁されていると、前記可動接点が磁力により前記コイルに引き寄せられ、前記可動接点と電気的に接続されるメイク接点と、前記コイルが励磁されていなくとも、前記可動接点を前記メイク接点に電気的に接続されるメイク位置に固定するメイク位置固定手段と、前記コイルが励磁されていないと、前記可動接点が前記コイルから離れ、前記可動接点と電気的に接続されるブレイク接点と、前記コイルが励磁されていても、前記可動接点を前記ブレイク接点に電気的に接続されるブレイク位置に固定するブレイク位置固定手段とを備える。
【発明の効果】
【０００７】
本発明によれば、試験のために動作状態を維持することができる励磁継電器を提供することができる。
【図面の簡単な説明】
【０００８】
【図１】本発明の実施形態に係る励磁継電器の通常位置が選択された状態の構成を示す構成図。
【図２】本実施形態に係る励磁継電器のブレイク位置が選択された状態の構成を示す構成図。
【図３】本実施形態に係る励磁継電器のメイク位置が選択された状態の構成を示す構成図。
【図４】本実施形態に係る励磁継電器のコイルを励磁するための回路図。
【図５】本実施形態に係る配電盤に実装された励磁継電器の接点部分の回路を示す回路図。
【発明を実施するための形態】
【０００９】
以下図面を参照して、本発明の実施形態を説明する。
【００１０】
（実施形態）
図１は、本発明の実施形態に励磁継電器１の通常位置が選択された状態の構成を示す構成図である。なお、図面における同一部分には同一符号を付してその詳しい説明を省略し、異なる部分について主に述べる。
【００１１】
励磁継電器１は、配電盤（例えば、保護継電装置）などの装置における電気回路を構成する機器である。以降では、説明の便宜上、励磁継電器１が実装されている装置を配電盤という。
【００１２】
励磁継電器１は、コイル２、印加端子３、ブレイク接点端子４、メイク接点端子５、固定端子６、可動接点７、切換スイッチ８、固定器具９、及びケース１０を備えている。
【００１３】
コイル２は、可動接点７を動作させるためのコイルである。コイル２は、励磁すると、電磁石になる。コイル２が電磁石になると、可動接点７に設けられた接触部７１がコイル２に設けられた接触部２１に磁力により引き寄せられることで、可動接点７が動く。コイル２の励磁後、コイルが励磁されなくなると、コイル２から離れるように可動接点７が動く。このように可動接点７が動くことにより、励磁継電器１の接点が切り換わる。
【００１４】
印加端子３は、コイル２に電圧を印加するための端子である。印加端子３に電圧が印加されることで、印加端子３とリード線Ｌ１で接続されているコイル２が励磁する。
【００１５】
ブレイク接点端子４は、配電盤の運用時（通常位置が選択されいる時）では、励磁継電器１が動作していない状態（ブレイク状態）のときに、固定端子６と導通する端子である。
【００１６】
メイク接点端子５は、配電盤の運用時では、励磁継電器１が動作している状態（メイク状態）のときに、固定端子６と導通する端子である。
【００１７】
可動接点７は、励磁継電器１の動作又は不動作に応じて、接点を切り換えるための接点である。
【００１８】
固定端子６は、ブレイク接点端子４又はメイク接点端子５と導通するための対になる端子である。
【００１９】
切換スイッチ８は、通常位置、ブレイク位置、又はメイク位置のいずれかを選択する。配電盤の運用時では、切換スイッチ８は、通常位置を選択する。配電盤の試験時では、試験条件に応じて、ブレイク位置又はメイク位置が選択される。励磁継電器１を常にブレイク状態にするときは、切換スイッチ８をブレイク位置にする。励磁継電器１を常にメイク状態にするときは、切換スイッチ８をメイク位置にする。
【００２０】
固定器具９は、切換スイッチ８で選択されたブレイク位置又はメイク位置に応じて、可動接点７を固定する。即ち、コイル２が励磁されているか否かに関係なく、固定器具９は、励磁継電器１のブレイク状態又はメイク状態を維持する。切換スイッチ８で通常位置が選択されている場合は、可動接点７は、固定されていない。可動接点７が固定されていない場合は、コイル２が励磁されているか否かに応じて、ブレイク状態又はメイク状態になる。
【００２１】
ケース１０は、励磁継電器１の全体を覆うカバーである。ケース１０は、励磁継電器１を構成する構成部品を保護する。
【００２２】
次に、切換スイッチ８が通常位置を選択している場合について説明する。
【００２３】
コイル２が励磁していないとき、可動接点７は、コイル２から離れた位置にある。可動接点７がこの位置のとき、可動接点７の導通部７２がブレイク接点端子４の導通部４１と接触している。この接触により、ブレイク接点端子４は、可動接点７と電気的に接続される。また、可動接点７は、リード線Ｌ２で固定端子６と接続されている。このため、コイル２が励磁していないときは、ブレイク接点端子４は、固定端子６と電気的に接続される。即ち、ブレイク接点端子４は、固定端子６と導通する。
【００２４】
コイル２が励磁しているとき、可動接点７は、コイル２と接触した位置にある。可動接点７がこの位置のとき、可動接点７の導通部７３がメイク接点端子５の導通部５１と接触している。この接触により、メイク接点端子５は、可動接点７と電気的に接続される。このため、コイル２が励磁しているときは、メイク接点端子５は、固定端子６と電気的に接続される。即ち、メイク接点端子５は、固定端子６と導通する。
【００２５】
次に、図２を参照して、切換スイッチ８がブレイク位置を選択している場合について説明する。図２は、本実施形態に励磁継電器１のブレイク位置が選択された状態の構成を示す構成図である。
【００２６】
切換スイッチ８がブレイク位置を選択している場合は、固定器具９により、可動接点７がコイル２から離れた位置で固定される。即ち、可動接点７の導通部７２がブレイク接点端子４の導通部４１に接触した状態で固定される。これにより、コイル２が励磁しているか否かに関係なく、ブレイク接点端子４は、常に固定端子６と導通する。
【００２７】
次に、図３を参照して、切換スイッチ８がメイク位置を選択している場合について説明する。図３は、本実施形態に励磁継電器１のメイク位置が選択された状態の構成を示す構成図である。
【００２８】
切換スイッチ８がメイク位置を選択している場合は、固定器具９により、可動接点７の接触部７１がコイル２の接触部２１と接触した位置で固定される。即ち、可動接点７の導通部７３がメイク接点端子５の導通部５１に接触した状態で固定される。これにより、コイル２が励磁しているか否かに関係なく、メイク接点端子５は、常に固定端子６と導通する。
【００２９】
次に、励磁継電器１が実装された配電盤の試験方法について説明する。
【００３０】
図４は、配電盤に実装された励磁継電器１のコイル２の部分の回路を示す回路図である。図５は、配電盤に実装された励磁継電器１の接点部分の回路を示す回路図である。
【００３１】
コイル２の一方の端子は、直流電源の正極にスイッチＳＷ１を介して接続されている。コイル２のもう一方の端子は、直流電源の負極に接続されている。スイッチＳＷ１が入ると、コイル２に直流電圧が印加されるため、コイル２が励磁する。これにより、励磁継電器１がメイク動作をする。スイッチＳＷ１が入れると、励磁継電器１がブレイク動作をする。
【００３２】
図５に示す回路の励磁継電器１の固定端子６には、直流電圧の正極が常時印加されている。メイク接点端子５は、スイッチＳＷ２の一方の端子に接続されている。スイッチＳＷ２のもう一方の端子は、電圧信号を出力する出力端子Ｔｏに接続されている。
【００３３】
この回路では、励磁継電器１がメイク状態であり、かつスイッチＳＷ２が入っている場合に、正極の電圧信号が出力される。励磁継電器１がブレイク状態の場合、スイッチＳＷ２の条件に関係なく、電圧信号は出力されない。従って、スイッチＳＷ２を試験する場合、励磁継電器１をメイク状態にする必要がある。そこで、切換スイッチ８をスライドさせて、メイク位置にする。これにより、励磁継電器１を強制的にメイク状態にする。即ち、固定端子６とメイク接点端子５を導通状態にする。この状態で、スイッチＳＷ２を開閉させて、出力端子Ｔｏから電圧信号が出力されるか否かを確認することで、スイッチＳＷ２を試験する。
【００３４】
また、励磁継電器１の接点の接続を試験する場合は、切換スイッチ８をメイク位置又はブレイク位置にすることで、図４に示すスイッチＳＷ１を開放したままで、試験することができる。
【００３５】
本実施形態によれば、切換スイッチ８により接点を切り換えることで、励磁継電器１を強制的にメイク状態又はブレイク状態に維持することができる。これにより、励磁継電器１を実装した配電盤の回路にハードウェア的な改造（例えば、ジャンパー線の接続）をすることなく、励磁継電器１を実装した回路の試験をすることができる。
【００３６】
また、切換スイッチ８は、スライドさせることで、通常位置、ブレイク位置、又はメイク位置のいずれかを選択できるスイッチである。これにより、手動押圧操作式のスイッチのように、押し続けなくてもメイク状態又はブレイク状態を維持することができる。
【００３７】
さらに、切換スイッチ８をスライド式のスイッチとすることにより、可動接点７に必要以上の圧力が加わることを防止することができる。例えば、手動押圧操作式のスイッチの場合、押圧による力がそのまま可動部に加わるため、電磁継電器１の可動部の動作に影響を及ぼす可能性がある。これに対して、スライド式の切換スイッチ８では、このような力が可動接点７に加わることがないため、切換スイッチ８の操作が電磁継電器１の動作に影響を与えることを防止することができる。
【００３８】
なお、本実施形態では、ブレイク接点端子４とメイク接点端子５を設けたが、ブレイク接点端子４は設けなくてもよい。即ち、励磁継電器１は、メイク接点の機能のみでもよい。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４０】
１…励磁継電器、２…コイル、３…印加端子、４…ブレイク接点端子、５…メイク接点端子、６…固定端子、７…可動接点、８…切換スイッチ、９…固定器具、１０…ケース。
【図１】
0006292132.tif 000002
【図２】
0006292132.tif 000003
【図３】
0006292132.tif 000004
【図４】
0006292132.tif 000005
【図５】
0006292132.tif 000006